(57)【要約】【課題】媒体が長尺のものであっても、媒体を損傷することなく、短時間でかつ容易に、絡み付いた繊維質を解し、隣接する媒体同士の貼（は）り付きを解消して整えた状態で給紙することができるようにする。【解決手段】媒体が載置される四辺形の底板２２と、該底板２２の各辺に接続された側板とを有し、該側板の少なくとも一つは、前記底板２２に対して傾斜面を形成する。【選択図】図１
2005089061.tif 000002
【特許請求の範囲】
【請求項１】
（ａ）媒体が載置される四辺形の底板と、
（ｂ）該底板の各辺に接続された側板とを有し、
（ｃ）該側板の少なくとも一つは、前記底板に対して傾斜面を形成することを特徴とする媒体トレイ。
【請求項２】
前記媒体は縦、横少なくとも一方の幅が５００〔ｍｍ〕を超えるものである請求項１に記載の媒体トレイ。
【請求項３】
前記底板は複数の凸部又は凹部を備える請求項１に記載の媒体トレイ。
【請求項４】
前記底板は複数の孔を備える請求項１に記載の媒体トレイ。
【請求項５】
（ａ）前記傾斜面を形成する側板に対向する側板は、前記底板に対して略垂直面を形成し、
（ｂ）前記底板の前記略垂直面を形成する側板が接続される辺に隣り合う辺に接続された側板は、前記底板に対して略垂直面を形成し、かつ、隣り合う前記略垂直面を形成する側板はそれぞれ相互の間に隙間を形成する請求項１に記載の媒体トレイ。
【請求項６】
所定の位置に取り付けられた一つ以上の把持部を有する請求項１に記載の媒体トレイ。
【請求項７】
前記底板の面に沿って伸縮可能である請求項１に記載の媒体トレイ。
【請求項８】
前記把持部の一部分と前記側板とを支持部として前記媒体トレイを起立するように前記把持部の位置を切り替える切り替え手段を有する請求項６に記載の媒体トレイ。
【請求項９】
給紙された媒体上に画像を形成する画像形成装置に装着可能であり、該画像形成装置に接続されたときに積層された媒体を前記画像形成装置の給紙手段に案内する媒体案内手段を有する請求項１に記載の媒体トレイ。
【請求項１０】
前記媒体案内手段は、前記画像形成装置に装着される側の側板を開放する請求項９に記載の媒体トレイ。
【請求項１１】
給紙された媒体上に画像を形成する画像形成装置において、前記媒体を給紙する給紙部に請求項１、９及び１０に記載の媒体トレイが装着されることを特徴とする画像形成装置。
【発明の詳細な説明】
【技術分野】
【０００１】
本発明は、媒体トレイ及び画像形成装置に関するものである。
【背景技術】
【０００２】
従来、インクジェット式プリンタ、電子写真式プリンタ、ファクシミリ、複写機等の画像形成装置に使用される給紙装置においては、多数枚の印刷用紙、すなわち、媒体をセットすることができる用紙トレイと呼ばれる媒体トレイを備えている。ところが、通常の媒体トレイは、一般的な事務において使用されるサイズの媒体、例えば、Ｂ４サイズ、Ａ４サイズ等の事務規格サイズの媒体をセットするようになっているので、長尺紙を収納することができない。そのため、長尺紙を画像形成装置に給紙する際に、長尺紙を載置することができる媒体トレイが提案されている（例えば、特許文献１参照。）。これにより、複数枚の媒体を連続して画像形成装置に給紙することができる。
【特許文献１】特開２００１−１６３４５４号公報
【発明の開示】
【発明が解決しようとする課題】
【０００３】
しかしながら、前記従来の媒体トレイにおいては、操作者が手作業によって長尺紙を媒体トレイ上に載置するようになっているので、長尺紙の端がばらばらになってしまったり、長尺紙のコーナ部を傷付けてしまうことがあった。また、媒体トレイ上に載置するために長尺紙を整え直す必要があるが、長尺紙を手作業によって整え直すことは困難であった。
【０００４】
一般的に、長尺紙と言われる媒体のサイズは、幅がＡ４サイズの媒体の縦の長さと同じ２７９〔ｍｍ〕であり、長さは９００〔ｍｍ〕と１２００〔ｍｍ〕との二種類である。このように長い長尺紙は、扱い難いので、袋詰めされた用紙束から必要枚数だけ取り出して媒体トレイ上に載置する作業の際に、端がばらばらになってしまったり、コーナ部が傷付いてしまうことが多い。また、長く扱い難い長尺紙を手作業によって整え直すことは、困難で時間がかかってしまう。
【０００５】
ところで、一般的に、媒体を袋詰めされた用紙束から取り出して媒体トレイ上に載置した場合、媒体一枚一枚の端面の繊維質が絡み付いていたり、隣接する媒体同士が貼（は）り付いたりして、給紙ミス、すなわち、媒体の不送り等を引き起こす原因になる。そのため、袋詰めされた用紙束から取り出した媒体を媒体トレイにセットする際に、操作者は手作業によって束になっている媒体を扱（しご）くようになっている。
【０００６】
図２は従来の媒体トレイ上に載置する長尺紙を扱く動作を示す図である。
【０００７】
袋詰めされた用紙束から取り出した媒体を、図２に示されるように、手作業によって扱くことによって、一度絡み付いた繊維質を解し、隣接する媒体同士の貼り付きを解消することができる。しかし、前記媒体が一般的な事務規格サイズ、例えば、Ａ４サイズのものであれば、長さが２７９〔ｍｍ〕であるので、手作業によって扱くことは容易であるが、前記媒体が長尺紙である場合、長さが９００〔ｍｍ〕又は１２００〔ｍｍ〕にもなるので、手作業によって扱くことは非常に困難である。
【０００８】
本発明は、前記従来の媒体トレイの問題点を解決して、媒体が長尺のものであっても、媒体を損傷することなく、短時間でかつ容易に、絡み付いた繊維質を解し、隣接する媒体同士の貼り付きを解消して整えた状態で給紙することができる媒体トレイ及び画像形成装置を提供することを目的とする。
【課題を解決するための手段】
【０００９】
そのために、本発明の媒体トレイにおいては、媒体が載置される四辺形の底板と、該底板の各辺に接続された側板とを有し、該側板の少なくとも一つは、前記底板に対して傾斜面を形成する。
【発明の効果】
【００１０】
本発明によれば、媒体トレイは、媒体が載置される四辺形の底板と、該底板の各辺に接続された側板とを有し、該側板の少なくとも一つは、前記底板に対して傾斜面を形成する。
【００１１】
この場合、媒体が長尺のものであっても、媒体を損傷することなく、短時間でかつ容易に、絡み付いた繊維質を解し、隣接する媒体同士の貼り付きを解消して整えた状態で給紙することができる。
【発明を実施するための最良の形態】
【００１２】
以下、本発明の実施の形態について図面を参照しながら詳細に説明する。
【００１３】
図３は本発明の第１の実施の形態における媒体カセットを装備した画像形成装置の概略構成を示す断面図である。
【００１４】
図に示されるように、画像形成装置１０は、該画像形成装置１０に着脱可能に装着され、多数枚の紙等の媒体１２ａをセットすることができる媒体トレイ１１を有する。なお、前記画像形成装置１０は、インクジェット式プリンタ、電子写真式プリンタ、ファクシミリ、複写機等、いかなる種類の画像形成装置であってもよいが、本実施の形態においては、前記画像形成装置１０が電子写真式プリンタである場合について説明する。また、前記画像形成装置１０は、カラー画像を形成するカラープリンタであってもよいが、本実施の形態においては、白黒画像を形成するモノクロプリンタである場合について説明する。
【００１５】
そして、前記画像形成装置１０は、媒体トレイ１１が装着され、該媒体トレイ１１にセットされた媒体１２ａを一枚ずつ画像形成部１４に供給する給紙部１３、給紙された媒体１２ａ上にトナー像を形成する画像形成部１４、及び、画像が形成された媒体１２ａを画像形成装置１０の外部に排出する排出部１５を有する。
【００１６】
そして、前記画像形成部１４は、図示されない感光体を表面に備える像担持体としての感光体ドラム、該感光体ドラムの表面を帯電させる帯電器、静電潜像が形成された感光体ドラムの表面に現像剤としてのトナーを付着させて現像する現像器、前記感光体ドラムの表面に残留したトナーを除去するクリーニング手段からなるイメージドラムユニットと、静電潜像を形成する露光手段としてのＬＥＤ（Ｌｉｇｈｔ  Ｅｍｉｔｔｉｎｇ  Ｄｉｏｄｅ）ヘッド、前記感光体ドラムと対向させて配設され、媒体１２ａにトナー像を転写する転写ローラ等から成る転写器、転写されたトナー像を媒体１２ａに定着させる定着器、及び、媒体１２ａを搬送する媒体搬送手段を備えている。
【００１７】
また、前記画像形成装置１０は、画像形成部１４の動作を制御するための図示されない印刷制御部を有する。該印刷制御部は、マイクロプロセッサ等の演算手段、ＲＯＭ、ＲＡＭ等の記憶手段、入出力ポート、タイマ等を備える一種のコンピュータである。そして、前記印刷制御部は、各ユニットを制御するための帯電電圧制御部、ヘッド制御部、現像電圧制御部、転写電圧制御部、モータ制御部、定着制御部、及び、搬送モータ制御部を有する。また、パーソナルコンピュータ、サーバ等の上位装置からのデータの受信制御を行うインターフェイス制御部が前記印刷制御部に接続されている。
【００１８】
次に、前記構成の画像形成装置１０の動作について説明する。
【００１９】
まず、印刷制御部は、インターフェイス制御部を介して、上位装置から送信された制御コマンド及び印刷データを受信する。そして、印刷制御部は、上位装置によって印刷指示を受けると、まず、定着制御部に指示を出し、加熱手段としてのヒータを内蔵した定着器が使用可能な温度範囲にあるか否かをサーミスタ等から成る温度検出センサによって検出する。前記定着器が、前記温度範囲になければヒータをオンにして、使用可能な温度範囲になるまで定着器を加熱する。該定着器が所定温度に上昇したときに、定着制御部は定着器モータに指示を出し、該定着器モータを駆動して定着器を回転動作させる。
【００２０】
次に、印刷制御部は、モータ制御部を介して、感光体ドラム、帯電器、現像器用モータを駆動し、同時に帯電電圧制御部、現像電圧制御部及び転写電圧制御部に指示を出し、帯電器、現像器及び転写器に電圧を印加する。また、印刷制御部は、媒体トレイ１１にセットされている媒体１２ａの搬送を開始するために、搬送モータ制御部に指示を出し、媒体１２ａの搬送を開始させる。すると、媒体１２ａは、媒体トレイ１１から取り出され、用紙吸入口センサが検出するまで、設定された量だけ搬送された後、媒体１２ａは画像形成部１４内に搬送される。
【００２１】
また、印刷制御部は、媒体１２ａが印刷可能な位置に到達した時点において、タイミング信号を送り、画像データ編集メモリからイメージデータを読み出してヘッド駆動制御部に送る。そして、該ヘッド駆動制御部は、一ライン分のイメージデータを受けた時点で、露光手段としてのＬＥＤヘッドにラッチ信号を送り、イメージデータをＬＥＤヘッドに保持させる。また、ヘッド駆動制御部は、次のタイミング信号を受ける前に、ＬＥＤヘッドに印刷駆動信号ＳＴＢを送る。その結果、ＬＥＤヘッドは、保持されたイメージデータに従って印刷を行い、ライン毎に印刷が行われる。
【００２２】
ＬＥＤヘッドは、マイナスの電位に帯電させられた感光体ドラムを照射し、該感光体ドラムの表面に、電位の上昇したドットによって静電潜像を形成する。そして、マイナスの電位に帯電させられたトナーが電気的な吸引力によって各ドットに吸引され、トナー像が形成される。その後、トナー像は感光体ドラムと転写器との間隙（げき）に形成される転写部に送られる。一方、印刷制御部は、転写電圧制御部に指示を出し、転写器をプラスの電位の転写用高圧を印加する。その結果、転写器は転写部を通過する媒体１２ａにトナー像を転写する。そして、転写されたトナー像を有する媒体１２ａは定着器に当接して搬送され、トナー像は、定着器の熱によって媒体１２ａに定着される。定着されたトナーを有する媒体１２ａは、更に搬送されて画像形成部１４から用紙排出口センサを通り、排出部１５から画像形成装置１０の外部に排出される。印刷が終了し、媒体１２ａが用紙排出口センサを通過すると、帯電器、現像器、転写器への電圧の印加を終了し、同時に各モータの動作を停止させる。以降、画像形成装置１０は前述された動作を繰り返す。
【００２３】
次に、前記構成の画像形成装置１０の一部に装着された媒体トレイ１１の構成について説明する。
【００２４】
図１は本発明の第１の実施の形態における媒体トレイの構成を示す斜視図、図４は本発明の第１の実施の形態における媒体トレイの長手方向側面図、図５は本発明の第１の実施の形態における媒体トレイの短手方向側面図、図６は本発明の第１の実施の形態における媒体トレイの断面図であり図１のＡ−Ａ断面図、図７は本発明の第１の実施の形態における媒体トレイの断面図であり図１のＢ−Ｂ断面図、図８は本発明の第１の実施の形態における媒体トレイの断面図であり媒体との大きさの関係を示す第１の図、図９は本発明の第１の実施の形態における媒体トレイの断面図であり媒体との大きさの関係を示す第２の図である。
【００２５】
図１に示されるように、媒体トレイ１１は、ほぼ直方体の形状を有し、また、図８及び９に示されるように、媒体１２ａとしての長尺紙１２よりも大きな外形寸法を有する。ここで、長尺紙１２は、扱い難さの観点から、縦、横いずれかの寸法が５００〔ｍｍ〕を超える媒体１２ａであるとする。
【００２６】
そして、前記媒体トレイ１１は、天面部に長尺紙１２を挿入するための開口部２１を有し、底面部に長尺紙１２を載置するための四辺形の底板２２を有する。該底板２２の各辺には側板としての側壁２３、２４、２５及び２６が接続されている。
【００２７】
この場合、図４、６及び８に示されるように、媒体トレイ１１における短手方向に延在する一方の側壁２３は、底面部の底板２２に対して垂直面を形成しており、他方の側壁２４は、傾斜面を形成している。また、図５、７及び９に示されるように、媒体トレイ１１における長手方向に延在する一方の側壁２５は、底面部の底板２２に対して垂直面を形成しており、他方の側壁２６は、傾斜面を形成している。なお、前記側壁２４及び２６の傾斜角度は、長尺紙１２を一枚ずつずらすことができる角度であれば、鋭角であっても、鈍角であってもどちらでもよいが、２０〜３０度であることが好ましい。これは、前記傾斜角度を２０度未満にすると、長尺紙１２が重なり合ったまま傾斜面を滑ってしまい、３０度より大きくすると、長尺紙１２の一枚ずつのずれ量が小さくなってしまうためである。
【００２８】
さらに、天面部に形成された開口部２１の周囲には、天面板２７ａ、２７ｂ及び２７ｃが配設され、さらに、該天面板２７ａ、２７ｂ及び２７ｃの先端部には、折り返し部２８ａ、２８ｂ及び２８ｃが形成されている。なお、前記天面板２７ａ、２７ｂ及び２７ｃは、側壁２３、２４、２５及び２６に接続されている。ここで、前記天面板２７ａ、２７ｂ及び２７ｃは、媒体トレイ１１を前後左右に傾けた場合に、媒体トレイ１１内にセットされた長尺紙１２が傾斜している側壁２４及び２６に沿って媒体トレイ１１の外部へ飛び出してしまうことを防ぐために設けられている。また、天面板２７ａ、２７ｂ及び２７ｃが存在しても、媒体トレイ１１内に長尺紙１２をスムーズにセットすることができるように、折り返し部２８ａ、２８ｂ及び２８ｃが設けられている。
【００２９】
そして、前記開口部２１の短手方向の寸法は、折り返し部２８ａの端縁と折り返し部２８ｂの端縁との間の距離であり、図９に示されるように、長尺紙１２を斜めにすると媒体トレイ１１内に挿入することができる程度の長さである。また、前記開口部２１の長手方向の寸法は、折り返し部２８ｃの端縁と側壁２３との間の距離であり、図８に示されるように、長尺紙１２の縦寸法よりわずかに長い程度の長さである。
【００３０】
なお、前記媒体トレイ１１の各部の寸法は、例えば、図６及び７に示されるような数値とすることができる。この場合、側壁２３は２７〔ｍｍ〕、側壁２４は３５〔ｍｍ〕、側壁２５は１８〔ｍｍ〕、及び、側壁２６は３５〔ｍｍ〕である。また、天面板２７ａは４５〔ｍｍ〕、天面板２７ｂ及び天面板２７ｃは４０〔ｍｍ〕である。さらに、折り返し部２８ａ、２８ｂ及び２８ｃは、天面に対して４５度であることが好ましい。さらに、前記底板２２の長手方向の寸法は１２２０〔ｍｍ〕、短手方向の寸法は３２０〔ｍｍ〕である。
【００３１】
また、媒体トレイ１１の材質は、静電気が溜（た）まらないように導電性を有するものであることが望ましく、本実施の形態において、媒体トレイ１１はステンレス製の板から成るものであるが、これに限定されるものではない。
【００３２】
次に、前記構成の媒体トレイ１１内の長尺紙１２の端面を整える動作について説明する。
【００３３】
図１０は本発明の第１の実施の形態における媒体トレイの断面図であり長尺紙の端面が整っている状態を示す図、図１１は本発明の第１の実施の形態における媒体トレイの断面図であり長尺紙の端面が整っていない状態を示す図、図１２は本発明の第１の実施の形態における媒体トレイ内の長尺紙の端面を整える動作を示す第１の図、図１３は本発明の第１の実施の形態における媒体トレイ内の長尺紙の端面を整える動作を示す第２の図、図１４は本発明の第１の実施の形態における媒体トレイ内の長尺紙の端面を示す第１の図、図１５は本発明の第１の実施の形態における媒体トレイ内の長尺紙の端面を示す第２の図である。
【００３４】
ここで、媒体トレイ１１の天面部に設けた開口部２１から媒体トレイ１１内部に挿入され長尺紙１２は、図１０に示されるように、底板２２上に自重によって載置されている。なお、図１０に示される例において、長尺紙１２の端面は整った状態となっているが、図１１に示されるように、長尺紙１２の端面が乱れた状態、すなわち、長尺紙１２がばらばらの状態であってもよい。
【００３５】
次に、操作者は、図１２及び１３に示されるように、媒体トレイ１１を両手で持ち上げ、該媒体トレイ１１を矢印Ｃ１及びＣ２並びにＤ１及びＤ２で示される方向に、すなわち、前後左右に複数回傾ける。この場合、媒体トレイ１１を矢印Ｃ１で示される方向に傾けることによって、図１４に示されるように、長尺紙１２は底板２２上を滑りながら矢印ｃ１で示される方向に移動し、長尺紙１２の端面２９が側壁２３に当接する。これにより、長尺紙１２の端面２９が整えられる。また、媒体トレイ１１を矢印Ｃ２で示される方向に傾けることによって、図１４に示されるように、長尺紙１２は底板２２上を滑りながら矢印ｃ２で示される方向に移動し、長尺紙１２の端面３０が側壁２４に当接する。ここで、該側壁２４は２０〜３０度の角度で傾斜しているので、前記側壁２４に長尺紙１２の端面３０が当接すると、前記側壁２４の傾斜面の作用によって、上にある長尺紙１２が下にある長尺紙１２よりも長い距離だけ移動することになる。これにより、複数枚が積み重ねられた状態の長尺紙１２は一枚ずつ離れ離れになるので、長尺紙１２の一枚一枚における端面２９及び３０の繊維質の絡み付きが解される。また、長尺紙１２同士の間に空気が入り込むことによって一枚一枚が剥がれ易くなる。なお、矢印Ｃ１及びＣ２に傾ける動作を複数回繰り返すことによって、長尺紙１２は確実に一枚ずつ離れ離れになる。
【００３６】
また、媒体トレイ１１を矢印Ｄ１で示される方向に傾けることによって、図１５に示されるように、長尺紙１２は底板２２上を滑りながら矢印ｄ１で示される方向に移動し、長尺紙１２の端面２９ａが側壁２５に当接する。これにより、長尺紙１２の端面２９ａが整えられる。また、媒体トレイ１１を矢印Ｄ２で示される方向に傾けることによって、図１５に示されるように、長尺紙１２は底板２２上を滑りながら矢印ｄ２で示される方向に移動し、長尺紙１２の端面３０ａが側壁２６に当接する。ここで、該側壁２６は２０〜３０度の角度で傾斜しているので、前記側壁２６に長尺紙１２の端面３０ａが当接すると、前記側壁２６の傾斜面の作用によって、上にある長尺紙１２が下にある長尺紙１２よりも長い距離だけ移動することになる。これにより、複数枚が積み重ねられた状態の長尺紙１２は一枚ずつ離れ離れになるので、長尺紙１２の一枚一枚における端面２９ａ及び３０ａの繊維質の絡み付きが解される。また、長尺紙１２同士の間に空気が入り込むことによって一枚一枚が剥がれ易くなる。なお、矢印Ｄ１及びＤ２に傾ける動作を複数回繰り返すことによって、長尺紙１２は確実に一枚ずつ離れ離れになる。
【００３７】
そして、最後に媒体トレイ１１を矢印Ｃ１及びＤ１で示される方向に傾けることによって、長尺紙１２の端面２９及び２９ａを側壁２３と側壁２５とに当接させて整えることができる。
【００３８】
このように、本実施の形態においては、媒体トレイ１１を使用することによって、長さが５００〔ｍｍ〕以上、例えば、９００〔ｍｍ〕又は１２００〔ｍｍ〕の長尺紙１２であっても、容易にかつ短時間で扱くことができ、また、端面を整えることができる。そのため、絡み付いた繊維質を解し、隣接する媒体同士の貼り付きを解消して整えた状態の長尺紙１２を画像形成装置１０の給紙部１３にセットすることができる。
【００３９】
次に、本発明の第２の実施の形態について説明する。なお、第１の実施の形態と同じ構成を有するものは、同じ符号を付与することによってその説明を省略する。また、前記第１の実施の形態と同じ動作及び同じ効果についても、その説明を省略する。
【００４０】
図１６は本発明の第２の実施の形態における媒体トレイの構成を示す斜視図である。
【００４１】
本実施の形態においては、図１６に示されるように、媒体トレイ１１の底板２２の表面に、媒体トレイ１１の内側に向かって突出する凸形状を有する凸部３１が複数個形成されている。また、前記底板２２の凸部３１が存在しない部分には、孔（あな）３２が複数個形成されている。
【００４２】
なお、本実施の形態における媒体トレイ１１の構成は、その他に点に関して、前記第１の実施の形態と同様であるので、説明を省略する。また、前記凸部３１に代えて、凹形状を有する凹部を形成してもよい。
【００４３】
次に、前記構成の媒体トレイ１１の動作について説明する。
【００４４】
図１７は本発明の第２の実施の形態における媒体トレイの断面図である。
【００４５】
まず、媒体トレイ１１の天面部に設けた開口部２１から媒体トレイ１１内部に挿入され長尺紙１２は、図１７に示されるように、底板２２上に載置される。続いて、前記第１の実施の形態と同様に、媒体トレイ１１を前後左右に複数回傾ける。この場合、長尺紙１２下面は凸部３１によって持ち上げられた状態となるので、底板２２との接触面積が少なく、摩擦の少ない移動が可能になる。また、前記孔３２によって、長尺紙１２下面の下に空気の層が形成される。そのため、静電気や摩擦によって底板２２と長尺紙１２とが密着することがなく、長尺紙１２が移動できなくなることを防止することができる。
【００４６】
このように、本実施の形態においては、媒体トレイ１１の底板２２に凸部３１及び孔３２を、それぞれ、複数個形成することによって、長尺紙１２が媒体トレイ１１内で、よりスムーズに移動することが可能になる。そのため、媒体トレイ１１を前後左右に傾ける角度を浅くすることができ、操作者は媒体トレイ１１を前後左右に複数回傾ける動作を容易に行うことができる。
【００４７】
さらに、孔３２を形成することによって、媒体トレイ１１の重量を軽くすることができるので、操作者は媒体トレイ１１を前後左右に複数回傾ける動作をよりスムーズに行うことができる。
【００４８】
次に、本発明の第３の実施の形態について説明する。なお、第１及び第２の実施の形態と同じ構成を有するものは、同じ符号を付与することによってその説明を省略する。また、前記第１及び第２の実施の形態と同じ動作及び同じ効果についても、その説明を省略する。
【００４９】
図１８は本発明の第３の実施の形態における媒体トレイの構成を示す斜視図である。
【００５０】
本実施の形態においては、図１８に示されるように、媒体トレイ１１の側壁２３、２４、２５及び２６が交わるコーナ部に、切り欠き３３ａ、３３ｂ、３３ｃ及び３３ｄが形成されている。すなわち、底板２２の隣り合う二辺に接続された側壁２３及び２５は、前記底板２２に対して垂直面を形成し、かつ、相互の間に隙（すき）間を形成している。なお、本実施の形態における媒体トレイ１１の構成は、その他に点に関して、前記第１の実施の形態と同様であるので、説明を省略する。
【００５１】
次に、前記切り欠き３３ａ、３３ｂ、３３ｃ及び３３ｄの作用について説明する。
【００５２】
図１９は本発明の第３の実施の形態における媒体トレイのコーナ部を示す拡大図である。
【００５３】
まず、媒体トレイ１１の天面部に設けた開口部２１から媒体トレイ１１内部に挿入された長尺紙１２は、底板２２上に載置される。続いて、前記第１の実施の形態と同様に、媒体トレイ１１を前後左右に複数回傾ける。すると、長尺紙１２は媒体トレイ１１内部を移動し、長尺紙１２の端面が各側壁２３、２４、２５及び２６に当接する。この場合、図１９に示されるように、それぞれのコーナ部に切り欠き３３ａ、３３ｂ、３３ｃ及び３３ｄが形成されているので、長尺紙１２の端面が各側壁２３、２４、２５及び２６に当接した状態を確実に確認することができる。
【００５４】
また、それぞれのコーナ部に切り欠き３３ａ、３３ｂ、３３ｃ及び３３ｄを形成したことによって、長尺紙１２のコーナ部は媒体トレイ１１のコーナ部において側壁２３、２４、２５及び２６に当接することがない。そのため、長尺紙１２のコーナ部が損傷することがない。
【００５５】
このように、本実施の形態においては、媒体トレイ１１の各コーナ部に切り欠き３３ａ、３３ｂ、３３ｃ及び３３ｄを形成することによって、媒体トレイ１１内部での長尺紙１２の動きを容易に確認することができる。そして、長尺紙１２の端面の様子を容易に確認することができることによって、操作者に安心感を与えることができる。また、長尺紙１２が媒体トレイ１１のコーナ部において側壁２３、２４、２５及び２６に当接しないので、長尺紙１２のコーナ部が損傷することがなく、損傷した長尺紙１２を廃棄する必要がない。
【００５６】
次に、本発明の第４の実施の形態について説明する。なお、第１〜第３の実施の形態と同じ構成を有するものは、同じ符号を付与することによってその説明を省略する。また、前記第１〜第３の実施の形態と同じ動作及び同じ効果についても、その説明を省略する。
【００５７】
図２０は本発明の第４の実施の形態における媒体トレイの構成を示す斜視図、図２１は本発明の第４の実施の形態における媒体トレイの断面図である。
【００５８】
本実施の形態における媒体トレイ１１は、図２０に示されるように、長手方向に延在する一方の側壁２５と他方の側壁２６とに両端が固定された把持部としての取っ手部３４ａ及び３４ｂを有している。そして、図２１に示されるように、取っ手部３４ａ及び３４ｂは、長尺紙１２を斜めにして開口部２１から媒体トレイ１１内に挿入することができる程度の空間を前記開口部２１上に残すような大きさ及び形状を有する。また、前記取っ手部３４ａ及び３４ｂの両端が側壁２５と側壁２６とに固定されているので、媒体トレイ１１の剛性が向上する。
【００５９】
なお、本実施の形態における媒体トレイ１１の構成は、その他に点に関して、前記第３の実施の形態と同様であるので、説明を省略する。
【００６０】
次に、前記構成の媒体トレイ１１内の長尺紙１２の端面を整える動作について説明する。
【００６１】
図２２は本発明の第４の実施の形態における媒体トレイ内の長尺紙の端面を整える動作を示す図である。
【００６２】
まず、媒体トレイ１１の天面部に設けた開口部２１から媒体トレイ１１内部に挿入され長尺紙１２は、底板２２上に載置される。続いて、操作者は、図２２に示されるように、取っ手部３４ａ及び３４ｂを両手で把持することによって媒体トレイ１１を持ち上げ、該媒体トレイ１１を矢印Ｃ１及びＣ２並びにＤ１及びＤ２で示される方向に、すなわち、前後左右に複数回傾ける。この場合、操作者は取っ手部３４ａ及び３４ｂを両手で把持することによって媒体トレイ１１を操作することができるので、子供、女性、老人等のように、小柄な人や力があまり強くない人でも容易に操作することができる。
【００６３】
このように、本実施の形態において、媒体トレイ１１は、両端が側壁２５及び２６に固定された取っ手部３４ａ及び３４ｂを有する。そのため、媒体トレイ１１の剛性が向上する。また、操作者は、取っ手部３４ａ及び３４ｂを両手で把持することによって媒体トレイ１１を操作することができるので、小柄な人や力があまり強くない人であっても容易に操作することができ、確実に長尺紙１２を整えることができる。
【００６４】
次に、本発明の第５の実施の形態について説明する。なお、第１〜第４の実施の形態と同じ構成を有するものは、同じ符号を付与することによってその説明を省略する。また、前記第１〜第４の実施の形態と同じ動作及び同じ効果についても、その説明を省略する。
【００６５】
図２３は本発明の第５の実施の形態における媒体トレイの構成を示す部分拡大図であり上方から見た斜視図、図２４は本発明の第５の実施の形態における媒体トレイの構成を示す部分拡大図であり下方から見た斜視図である。
【００６６】
本実施の形態において、媒体トレイ１１は、短手方向に延在する一方の側壁として、前記第１〜第４の実施の形態における側壁２３に代えて、図２３及び２４に示されるように、回動可能な媒体案内手段としての回動側壁３５を有する。該回動側壁３５上端近傍には回動支軸３６が一体的に取り付けられ、回動側壁３５は回動支軸３６を中心にして回動する。そして、側壁２５及び２６には、支軸取り付け板３７及び３８がそれぞれ固定され、該支軸取り付け板３７及び３８に形成された回動支軸孔（こう）３７ａ及び３８ａに、前記回動支軸３６の両端近傍が挿入され、回転可能に支持されている。なお、前記回動支軸３６の支軸取り付け板３７側の端部には、側壁２５と平行に延在する曲げ部３６ａが形成されている。
【００６７】
また、図２４に示されるように、底板２２の裏面における回動側壁３５側の端部近傍に板ばね部材４０の固定部４０ｃが固定されている。そして、該板ばね部材４０の固定部４０ｃと反対側の端部には、突出部４０ａ及び爪（つめ）部４０ｂが形成されている。該爪部４０ｂは、図２３に示されるように、回動側壁３５の下端と係合している。これにより、回動側壁３５は回動しないようになっている。
【００６８】
なお、本実施の形態における媒体トレイ１１の構成は、その他に点に関して、前記第１の実施の形態と同様であるので、説明を省略する。
【００６９】
次に、前記構成の媒体トレイ１１の動作について説明する。
【００７０】
図２５は本発明の第５の実施の形態における媒体トレイを画像形成装置の給紙部にセットする状態を示す第１の図、図２６は本発明の第５の実施の形態における媒体トレイを画像形成装置の給紙部にセットする状態を示す第２の図である。
【００７１】
まず、媒体トレイ１１の天面部に設けた開口部２１から媒体トレイ１１内部に挿入された長尺紙１２は、底板２２上に載置される。続いて、前記第１の実施の形態と同様に、媒体トレイ１１を前後左右に複数回傾ける。これにより、長尺紙１２は、扱かれて端面が整えられた状態となる。
【００７２】
続いて、長尺紙１２の端面が整えられた状態において、媒体トレイ１１が画像形成装置１０の給紙部１３に押し込まれるようにしてセットされる。この場合、図２５に示されるように、給紙部１３内の下側に配設された凸部４３のテーパ状の先端部の傾斜面が板ばね部材４０の突出部４０ａに当接し、該突出部４０ａを押し下げる。そして、媒体トレイ１１が給紙部１３に更に押し込まれることによって、前記凸部４３のテーパ状の先端部の傾斜面が突出部４０ａを更に押し下げる。これにより、板ばね部材４０が弾性変形し、爪部４０ｂが突出部４０ａとともに押し下げられ、回動側壁３５の下端との係合が解除される。そのため、回動側壁３５は回動可能となる。
【００７３】
そして、媒体トレイ１１が給紙部１３に更に押し込まれると、給紙部１３内の上側に配設された凸部４２が回動支軸３６の曲げ部３６ａに当接し、該曲げ部３６ａを矢印Ｅで示される方向に回転させる。これにより、回動側壁３５は、回動支軸３６を中心に矢印Ｆで示される方向に回転する。そして、回動側壁３５によって閉止されていた媒体トレイ１１の短手方向に延在する一方の側壁が解放され、媒体トレイ１１の給紙部１３へのセットが完了する。
【００７４】
続いて、図２６に示されるように、長尺紙１２は、自重によって底板２２上を矢印Ｇで示される方向に移動して、給紙部１３内に進入し、該給紙部１３内に配設された給紙手段としての搬出ローラ４１に一枚ずつ搬出されるようになる。これにより、画像形成装置１０への長尺紙１２の給紙が可能となる。
【００７５】
なお、他の手段によって長尺紙１２の給紙を可能とすることもできる。
【００７６】
図２７は本発明の第５の実施の形態における媒体案内手段の構成を示す部分拡大図、図２８は本発明の第５の実施の形態における媒体トレイの他の構成を示す部分拡大図であり下面図である。
【００７７】
この場合、媒体トレイ１１は、回動側壁３５を有しておらず、前記第１〜第４の実施の形態と同様に、側壁２３を有するが、図２７及び２８に示されるように、底板２２の側壁２３近傍に回動可能な媒体案内手段としての媒体押し上げ板４５が取り付けられている。該媒体押し上げ板４５は、ヒンジのような回動取り付け金具４６によって、底板２２に回動可能に取り付けられて回転するようになっている。
【００７８】
そして、媒体トレイ１１が給紙部１３にセットされると、図２７に示されるように、該給紙部１３内に配設された媒体押し上げ機構４７によって、媒体押し上げ板４５の側壁２３側の端部が押し上げられる。そのため、底板２２上に載置されていた長尺紙１２の上面が給紙部１３内に配設された搬出ローラ４１に押し付けられ、一枚ずつ搬出されるようになる。これにより、画像形成装置１０への長尺紙１２の給紙が可能となる。
【００７９】
このように、本実施の形態において、媒体トレイ１１を使用して、長尺紙１２を扱いて、端面を整え後に、媒体トレイ１１から長尺紙１２を取り出すことなく媒体トレイ１１ごと画像形成装置１０の給紙部１３にセットすることができる。そのため、操作者は、手間をかけることなく、容易に、かつ、確実に端面が整えられた状態の整えた長尺紙１２を給紙部１３へセットすることができる。
【００８０】
次に、本発明の第６の実施の形態について説明する。なお、第１〜第５の実施の形態と同じ構成を有するものは、同じ符号を付与することによってその説明を省略する。また、前記第１〜第５の実施の形態と同じ動作及び同じ効果についても、その説明を省略する。
【００８１】
図２９は本発明の第６の実施の形態における媒体トレイの構成を示す斜視図、図３０は本発明の第６の実施の形態における媒体トレイの要部断面図である。
【００８２】
本実施の形態において、媒体トレイ１１は、長手方向に複数個に分割されている。なお、分割数はいくつであってもよいが、本実施の形態においては、説明の都合上、三個に分割されている場合について説明する。この場合、前記媒体トレイ１１は、図２９に示されるように、第１媒体トレイ１１−１、第２媒体トレイ１１−１及び第３媒体トレイ１１−３から成る。そして、第１媒体トレイ１１−１は、底板２２−１、側壁２３、２５−１及び２６−１、天面板２７−１ａ及び２７−１ｂ、並びに、折り返し部２８−１ａ及び２８−１ｂを有する。また、第２媒体トレイ１１−２は、底板２２−２、側壁２５−２及び２６−２、天面板２７−２ａ及び２７−２ｂ、並びに、折り返し部２８−２ａ及び２８−２ｂを有する。さらに、第３媒体トレイ１１−３は、底板２２−３、側壁２４、２５−３及び２６−３、天面板２７ｃ、２７−３ａ及び２７−３ｂ、並びに、折り返し部２８ｃ、２８−３ａ及び２８−３ｂを有する。
【００８３】
そして、図３０に示されるように、第１媒体トレイ１１−１、第２媒体トレイ１１−２及び第３媒体トレイ１１−３は、横断面形状がほぼ相似であり、第２媒体トレイ１１−２が第１媒体トレイ１１−１よりわずかに大きく、また、第３媒体トレイ１１−３が第２媒体トレイ１１−２よりわずかに大きくなっている。これにより、第１媒体トレイ１１−１、第２媒体トレイ１１−２及び第３媒体トレイ１１−３は、長手方向に相互に移動可能となるように入れ子式（テレスコピック）のようにして組み合わせることができる。この場合、第２媒体トレイ１１−２が第１媒体トレイ１１−１に対してスライド可能であり、また、第３媒体トレイ１１−３が第２媒体トレイ１１−２に対してスライド可能であるので、媒体トレイ１１は、全体として伸縮可能になっている。すなわち、媒体トレイ１１は、底板２２−１、２２−２及び２２−３の面に沿って伸縮可能である。
【００８４】
また、第１媒体トレイ１１−１の天面板２７−１ａ及び２７−１ｂ、第２媒体トレイ１１−２の天面板２７−２ａ及び２７−２ｂ、並びに、第３媒体トレイ１１−３の天面板２７−３ａ及び２７−３ｂには、複数個のねじ孔５５が形成され、ボルト等のねじ部材５４によって相互に結合することができる。これにより、第１媒体トレイ１１−１、第２媒体トレイ１１−２及び第３媒体トレイ１１−３は、相互に固定されるようになっている。
【００８５】
次に、前記構成の媒体トレイ１１の動作について説明する。
【００８６】
図３１は本発明の第６の実施の形態における媒体トレイの長さを調節した状態を示す第１の図、図３２は本発明の第６の実施の形態における媒体トレイの長さを調節した状態を示す第２の図である。
【００８７】
一般的に使用されている長尺紙１２には、幅がＡ４又はＡ３に代表されるＡサイズ規格の長尺紙１２と、幅がＢ４又はＢ５に代表されるＢサイズ規格の長尺紙１２とがある。また、長尺紙１２の長さは６００〔ｍｍ〕、９００〔ｍｍ〕及び１２００〔ｍｍ〕の三種類が主流であるが、特殊な長さものもある。
【００８８】
そして、図３２に示されるように、第１媒体トレイ１１−１の天面板２７−１ａ及び２７−１ｂ、並びに、第２媒体トレイ１１−２の天面板２７−２ａ及び２７−２ｂに形成されたねじ孔５５の中の任意のものを選択し、ねじ部材５４によって結合することによって、第１媒体トレイ１１−１と第２媒体トレイ１１−２との位置関係を調整することができる。同様に、第２媒体トレイ１１−２の天面板２７−２ａ及び２７−２ｂ、並びに、第３媒体トレイ１１−３の天面板２７−３ａ及び２７−３ｂに形成されたねじ孔５５の中の任意のものを選択し、ねじ部材５４によって結合することによって、第２媒体トレイ１１−２と第３媒体トレイ１１−３との位置関係を調整することができる。
【００８９】
これにより、媒体トレイ１１の大きさを、使用する長尺紙１２のサイズに合わせて自由に伸縮させることが可能となるため、必要以上に大きな媒体トレイ１１を操作することがない。また、該媒体トレイ１１内での長尺紙１２の動作範囲を小さくすることができる。さらに、図３１に示されるように、第１媒体トレイ１１−１、第２媒体トレイ１１−２及び第３媒体トレイ１１−３を、媒体トレイ１１が全体として最小となるように収縮させ、ねじ部材５４によって結合して固定することによって、媒体トレイ１１全体の大きさをコンパクトにすることが可能となる。
【００９０】
このように、本実施の形態においては、媒体トレイ１１の大きさを使用する長尺紙１２のサイズに簡単に合わせることができるので、より確実に長尺紙１２を整えることが可能になる。また、該媒体トレイ１１を収縮させてコンパクトにすることができるので、保管場所を取らずに容易に媒体トレイ１１を保管することができる。
【００９１】
次に、本発明の第７の実施の形態について説明する。なお、第１〜第６の実施の形態と同じ構成を有するものは、同じ符号を付与することによってその説明を省略する。また、前記第１〜第６の実施の形態と同じ動作及び同じ効果についても、その説明を省略する。
【００９２】
図３３は本発明の第７の実施の形態における媒体トレイの構成を示す斜視図である。
【００９３】
本実施の形態における媒体トレイ１１は、図３３に示されるように、長手方向に延在する一方の側壁２５と他方の側壁２６とに両端が、ショルダーリベット等によって回動可能に取り付けられた把持部としての取っ手部５６ａ及び５６ｂを有している。また、該取っ手部５６ａ及び５６ｂには、ストッパ５７ａ及び５７ｂの一端、並びに、ストッパ５７ｃ及び５７ｄの一端が、それぞれ、ショルダーリベット等によって回動可能に取り付けられている。さらに、側壁２５及び側壁２６には、前記ストッパ５７ａ、５７ｂ、５７ｃ及び５７ｄの他端を固定するための切り替え手段としてのストッパ固定孔５８ａ、５８ｂ、５８ｃ、５８ｄ、５８ｅ、５８ｆ、５８ｇ及び５８ｈが配設され、それぞれにストッパ５７ａ、５７ｂ、５７ｃ及び５７ｄの他端を挿入するようになっている。
【００９４】
なお、本実施の形態における媒体トレイ１１の構成は、その他に点に関して、前記第３の実施の形態と同様であるので、説明を省略する。
【００９５】
次に、前記構成の媒体トレイ１１の動作について説明する。
【００９６】
図３４は本発明の第７の実施の形態における媒体トレイの取っ手部を回転させた状態を示す図、図３５は本発明の第７の実施の形態における媒体トレイを保管する状態を示す第１の図、図３６は本発明の第７の実施の形態における媒体トレイを保管する状態を示す第２の図である。
【００９７】
まず、通常、長尺紙１２を整える操作を行う場合は、図３３に示されるように、ストッパ５７ａ、５７ｂ、５７ｃ及び５７ｄのそれぞれの他端をストッパ固定孔５８ａ、５８ｂ、５８ｃ及び５８ｄに挿入するようになっている。これにより、取っ手部５６ａ及び５６ｂが媒体トレイ１１に対してほぼ垂直に立つような状態で固定されるので、前記第４の実施の形態と同様に、操作者は取っ手部５６ａ及び５６ｂを両手で把持することによって、媒体トレイ１１を操作することができる。
【００９８】
次に、媒体トレイ１１を使用しない時には、図３４に示されるように、ストッパ５７ａ、５７ｂ、５７ｃ及び５７ｄのそれぞれの他端をストッパ固定孔５８ｅ、５８ｆ、５８ｇ及び５８ｈに挿入する。これにより、取っ手部５６ａと５６ｂとが媒体トレイ１１に対して所定の角度に傾斜した状態で固定される。この状態において、図３５に示すように、媒体トレイ１１を床の上に立てると、該媒体トレイ１１と取っ手部５６ａ又は５６ｂが脚の役割を果たすことで、媒体トレイ１１が自立することが可能となり、省スペースでの保管が可能となる。
【００９９】
さらに、ストッパ５７ａ、５７ｂ、５７ｃ及び５７ｄのそれぞれの他端をストッパ固定孔５８ａ、５８ｂ、５８ｃ、５８ｄ、５８ｅ、５８ｆ、５８ｇ及び５８ｈのいずれにも挿入しないようにすると、取っ手部５６ａ及び５６ｂは媒体トレイ１１と当接するまで倒れ込む。これにより、取っ手部５６ａ及び５６ｂの出っ張りがなくなるため、図３６に示すように、自立しないまでも、更なる省スペースでの保管が可能となる。
【０１００】
このように、本実施の形態において、媒体トレイ１１を床の上に立てることが可能であるため、保管スペースを小さくすることができる。
【０１０１】
なお、本発明は前記実施の形態に限定されるものではなく、本発明の趣旨に基づいて種々変形させることが可能であり、それらを本発明の範囲から排除するものではない。
【図面の簡単な説明】
【０１０２】
【図１】本発明の第１の実施の形態における媒体トレイの構成を示す斜視図である。
【図２】従来の媒体トレイ上に載置する長尺紙を扱く動作を示す図である。
【図３】本発明の第１の実施の形態における媒体カセットを装備した画像形成装置の概略構成を示す断面図である。
【図４】本発明の第１の実施の形態における媒体トレイの長手方向側面図である。
【図５】本発明の第１の実施の形態における媒体トレイの短手方向側面図である。
【図６】本発明の第１の実施の形態における媒体トレイの断面図であり図１のＡ−Ａ断面図である。
【図７】本発明の第１の実施の形態における媒体トレイの断面図であり図１のＢ−Ｂ断面図である。
【図８】本発明の第１の実施の形態における媒体トレイの断面図であり媒体との大きさの関係を示す第１の図である。
【図９】本発明の第１の実施の形態における媒体トレイの断面図であり媒体との大きさの関係を示す第２の図である。
【図１０】本発明の第１の実施の形態における媒体トレイの断面図であり長尺紙の端面が整っている状態を示す図である。
【図１１】本発明の第１の実施の形態における媒体トレイの断面図であり長尺紙の端面が整っていない状態を示す図である。
【図１２】本発明の第１の実施の形態における媒体トレイ内の長尺紙の端面を整える動作を示す第１の図である。
【図１３】本発明の第１の実施の形態における媒体トレイ内の長尺紙の端面を整える動作を示す第２の図である。
【図１４】本発明の第１の実施の形態における媒体トレイ内の長尺紙の端面を示す第１の図である。
【図１５】本発明の第１の実施の形態における媒体トレイ内の長尺紙の端面を示す第２の図である。
【図１６】本発明の第２の実施の形態における媒体トレイの構成を示す斜視図である。
【図１７】本発明の第２の実施の形態における媒体トレイの断面図である。
【図１８】本発明の第３の実施の形態における媒体トレイの構成を示す斜視図である。
【図１９】本発明の第３の実施の形態における媒体トレイのコーナ部を示す拡大図である。
【図２０】本発明の第４の実施の形態における媒体トレイの構成を示す斜視図である。
【図２１】本発明の第４の実施の形態における媒体トレイの断面図である。
【図２２】本発明の第４の実施の形態における媒体トレイ内の長尺紙の端面を整える動作を示す図である。
【図２３】本発明の第５の実施の形態における媒体トレイの構成を示す部分拡大図であり上方から見た斜視図である。
【図２４】本発明の第５の実施の形態における媒体トレイの構成を示す部分拡大図であり下方から見た斜視図である。
【図２５】本発明の第５の実施の形態における媒体トレイを画像形成装置の給紙部にセットする状態を示す第１の図である。
【図２６】本発明の第５の実施の形態における媒体トレイを画像形成装置の給紙部にセットする状態を示す第２の図である。
【図２７】本発明の第５の実施の形態における媒体案内手段の構成を示す部分拡大図である。
【図２８】本発明の第５の実施の形態における媒体トレイの他の構成を示す部分拡大図であり下面図である。
【図２９】本発明の第６の実施の形態における媒体トレイの構成を示す斜視図である。
【図３０】本発明の第６の実施の形態における媒体トレイの要部断面図である。
【図３１】本発明の第６の実施の形態における媒体トレイの長さを調節した状態を示す第１の図である。
【図３２】本発明の第６の実施の形態における媒体トレイの長さを調節した状態を示す第２の図である。
【図３３】本発明の第７の実施の形態における媒体トレイの構成を示す斜視図である。
【図３４】本発明の第７の実施の形態における媒体トレイの取っ手部を回転させた状態を示す図である。
【図３５】本発明の第７の実施の形態における媒体トレイを保管する状態を示す第１の図である。
【図３６】本発明の第７の実施の形態における媒体トレイを保管する状態を示す第２の図である。
【符号の説明】
【０１０３】
１０    画像形成装置
１１    媒体トレイ
１１−１    第１媒体トレイ
１１−２    第２媒体トレイ
１１−３    第３媒体トレイ
１２    長尺紙
１２ａ    媒体
１３    給紙部
２２、２２−１、２２−２、２２−３    底板
２３、２４、２５、２６、２５−１、２５−２、２５−３、２６−１、２６−２、２６−３    側壁
３１    凸部
３２    孔
３４ａ、３４ｂ、５６ａ、５６ｂ    取っ手部
３５    回動側壁
４１    搬出ローラ
４５    媒体押し上げ板
５８ａ、５８ｂ、５８ｃ、５８ｄ、５８ｅ、５８ｆ、５８ｇ、５８ｈ    ストッパ固定孔
【図１】
2005089061.tif 000003
【図２】
2005089061.tif 000004
【図３】
2005089061.tif 000005
【図４】
2005089061.tif 000006
【図５】
2005089061.tif 000007
【図６】
2005089061.tif 000008
【図７】
2005089061.tif 000009
【図８】
2005089061.tif 000010
【図９】
2005089061.tif 000011
【図１０】
2005089061.tif 000012
【図１１】
2005089061.tif 000013
【図１２】
2005089061.tif 000014
【図１３】
2005089061.tif 000015
【図１４】
2005089061.tif 000016
【図１５】
2005089061.tif 000017
【図１６】
2005089061.tif 000018
【図１７】
2005089061.tif 000019
【図１８】
2005089061.tif 000020
【図１９】
2005089061.tif 000021
【図２０】
2005089061.tif 000022
【図２１】
2005089061.tif 000023
【図２２】
2005089061.tif 000024
【図２３】
2005089061.tif 000025
【図２４】
2005089061.tif 000026
【図２５】
2005089061.tif 000027
【図２６】
2005089061.tif 000028
【図２７】
2005089061.tif 000029
【図２８】
2005089061.tif 000030
【図２９】
2005089061.tif 000031
【図３０】
2005089061.tif 000032
【図３１】
2005089061.tif 000033
【図３２】
2005089061.tif 000034
【図３３】
2005089061.tif 000035
【図３４】
2005089061.tif 000036
【図３５】
2005089061.tif 000037
【図３６】
2005089061.tif 000038